(57)【要約】【課題】エーロフォイルを冷却する。【解決手段】タービンブレードは、凹形状をした加圧側外壁および凸形状をした吸引側外壁であり、前縁および後縁に沿って接続し、これらの外壁の間に冷却剤の流れを受けるための半径方向に延びるチャンバを形成する、加圧側外壁および吸引側外壁によって画定されるエーロフォイルを有する。タービンブレードは、チャンバを半径方向に延びる流路へと仕切るリブ構成をさらに含むことができる。リブ構成は、波形プロファイルを有するカンバ線リブを含むことができる。波形プロファイルは、少なくとも１つの前後への「Ｓ字」形状を含むことができる。【選択図】図３
2015127532.tif 000002
【特許請求の範囲】
【請求項１】
凹形状をした加圧側外壁および凸形状をした吸引側外壁であり、前縁および後縁に沿って接続し、前記外壁の間に冷却剤の流れを受けるための半径方向に延びるチャンバを形成する前記加圧側外壁および前記吸引側外壁によって画定されるエーロフォイルを備え、
前記チャンバを半径方向に延びる流路へと仕切るリブ構成
をさらに備え、
前記リブ構成が波形プロファイルを有するカンバ線リブを含む、
タービンブレード。
【請求項２】
前記波形プロファイルが、少なくとも１つの前後への「Ｓ字」形状を含み、
前記タービンブレードが、タービン回転子ブレードおよびタービン固定子ブレードのうちの一方を備える、請求項１記載のタービンブレード。
【請求項３】
前記波形プロファイルが、少なくとも２つの連続的な前後への「Ｓ字」形状を含み、
前記タービンブレードが、タービン回転子ブレードを備える、
請求項１記載のタービンブレード。
【請求項４】
波形プロファイルを有するカンバ線リブは、前記エーロフォイルの前記前縁に向かって始まり、かつ前記エーロフォイルの前記後縁に向かって延びる円弧を描く通路の全体にわたり前後に曲がりくねり、前記円弧を描く通路が前記エーロフォイルのカンバ基準線にほぼ平行であるカンバ線リブを備え、
前記カンバ線リブの前記円弧を描く通路が、前記エーロフォイルの前記カンバ基準線の長さの少なくとも１５％である長さを含む、
請求項１記載のタービンブレード。
【請求項５】
波形プロファイルを有するカンバ線リブは、前記エーロフォイルの前記前縁の近くで始まり、かつ前記エーロフォイルの前記後縁に向かって延びる円弧を描く通路の全体にわたり前後に曲がりくねり、前記円弧を描く通路が前記エーロフォイルのカンバ基準線にほぼ平行であるカンバ線リブを備え、
前記カンバ線リブの前記円弧を描く通路が、前記エーロフォイルの前記カンバ基準線の長さの少なくとも５０％である長さを含む、
請求項２記載のタービンブレード。
【請求項６】
前記リブ構成は、加圧側カンバ線リブが前記加圧側外壁の近くに存在するカンバ線リブを備え、かつ吸引側カンバ線リブが前記吸引側外壁の近くに存在するカンバ線リブを備える２つのカンバ線リブを含み、
前記波形プロファイルを有する前記カンバ線リブが、前記加圧側カンバ線リブおよび前記吸引側カンバ線リブのうちの少なくとも一方を備え、
前記加圧側カンバ線リブおよび前記吸引側カンバ線リブのうちの前記少なくとも一方についての前記波形プロファイルは、中央流路に関して、第１の凹形セグメントが第２の凸形セグメントに移行する少なくとも２つの連続したセグメントを含む前記波形プロファイルを含む、
請求項４記載のタービンブレード。
【請求項７】
前記リブ構成は、加圧側カンバ線リブが前記加圧側外壁の近くに存在するカンバ線リブを備え、および吸引側カンバ線リブが前記吸引側外壁の近くに存在するカンバ線リブを備える２つのカンバ線リブを含み、前記加圧側カンバ線リブおよび前記吸引側カンバ線リブの両者が波形プロファイルを含み、
前記加圧側カンバ線リブおよび前記吸引側カンバ線リブが、これらの間に中央流路を画定する、
請求項４記載のタービンブレード。
【請求項８】
前記加圧側カンバ線リブおよび前記吸引側カンバ線リブの各々についての前記波形プロファイルは、前記中央流路に関して、第１の凹形セグメントが第２の凸形セグメントに移行する少なくとも２つの連続したセグメントを含む前記波形プロファイルを含む、請求項７記載のタービンブレード。
【請求項９】
前記加圧側カンバ線リブおよび前記吸引側カンバ線リブの各々についての前記波形プロファイルは、前記中央流路に関して、第１の凹形セグメントが第２の凸形セグメントに移行し、第２の凸形セグメントが第３の凹形セグメントに移行し、かつ第３の凹形セグメントが第４の凸形セグメントに移行する少なくとも４つの連続したセグメントを含む前記波形プロファイルを含む、請求項７記載のタービンブレード。
【請求項１０】
前記加圧側カンバ線リブおよび前記吸引側カンバ線リブの各々についての前記波形プロファイルが、前記中央流路に関して、少なくとも３つの連続して積み重なった凸形セグメントを含む前記波形プロファイルを含む、請求項７記載のタービンブレード。
【請求項１１】
前記加圧側カンバ線リブおよび前記吸引側カンバ線リブの各々についての前記波形プロファイルが、前記中央流路に関して、少なくとも３つの連続して積み重なった凹形セグメントを含む前記波形プロファイルを含む、請求項７記載のタービンブレード。
【請求項１２】
前記リブ構成が、トラバースリブを備え、
前記トラバースリブの各々が、前記カンバ線リブのうちの１つを前記加圧側外壁、前記吸引側外壁、および他のカンバ線リブのうちの少なくとも１つに接続するように前記エーロフォイルを横切って延びるように構成されたトラバースリブを備える、
請求項７記載のタービンブレード。
【請求項１３】
前記加圧側外壁および前記加圧側カンバ線リブが、これらの間に加圧側流路を画定し、
前記吸引側外壁および前記吸引側カンバ線リブが、これらの間に吸引側流路を画定する、
請求項７記載のタービンブレード。
【請求項１４】
前記リブ構成が、
前記加圧側外壁を前記加圧側カンバ線リブに接続し、これによって前記加圧側流路を仕切る加圧側トラバースリブと、
前記吸引側外壁を前記吸引側カンバ線リブに接続し、これによって前記吸引側流路を仕切る吸引側トラバースリブと、
前記加圧側カンバ線リブを前記吸引側カンバ線リブに接続し、これによって前記中央流路を仕切る少なくとも１つの中央トラバースリブと
を備える、請求項１３記載のタービンブレード。
【請求項１５】
前記リブ構成は、前記加圧側流路、前記吸引側流路、および中央流路が、前記エーロフォイルの内側寄り境界の近くに位置する第１の端部と前記エーロフォイルの外側寄り境界の近くに位置する第２の端部との間で半径方向に延びるように配列され、
前記加圧側流路、前記吸引側流路、および中央流路のうちの少なくとも１つが、動作中に前記回転子ブレードの付け根を通る冷却剤の流れを受けるように構成される供給通路に接続する、
請求項１４記載のタービンブレード。
【請求項１６】
前記リブ構成が、４つの加圧側トラバースリブおよび４つの吸引側トラバースリブを備え、
前記リブ構成が、２つの中央トラバースリブを備える、
請求項１４記載のタービンブレード。
【請求項１７】
前記４つの加圧側トラバースリブのうちの２つが、約６０°よりも小さい前記加圧側外壁との接続の角度を形成するように構成され、
前記４つの吸引側トラバースリブのうちの２つが、約６０°よりも小さい前記吸引側外壁との接続の角度を形成するように構成され、
前記２つの中央トラバースリブのうちの一方が、前記吸引側カンバ線リブおよび前記加圧側カンバ線リブの各々のところで約６０°よりも小さい接続の角度を形成する、
請求項１６記載のタービンブレード。
【請求項１８】
前記４つの加圧側トラバースリブのうちの３つが、約６０°よりも小さい前記加圧側外壁との接続の角度を形成するように構成され、
前記４つの吸引側トラバースリブのうちの３つが、約６０°よりも小さい前記吸引側外壁との接続の角度を形成するように構成され、
前記２つの中央トラバースリブが、前記吸引側カンバ線リブおよび前記加圧側カンバ線リブの各々のところで約６０°よりも小さい接続の角度を形成する、
請求項１６記載のタービンブレード。
【請求項１９】
前記中央トラバースリブのうちの一方が、前記吸引側カンバ線リブと前記加圧側カンバ線リブとの間に円弧を含む、請求項１６記載のタービンブレード。
【請求項２０】
前記中央トラバースリブの両方が、前記吸引側カンバ線リブと前記加圧側カンバ線リブとの間に円弧を含み、
前記２つの中央トラバースリブの各々の前記円弧が、前記前縁の方に向けられた凹面を含む、
請求項１６記載のタービンブレード。
【請求項２１】
前記中央トラバースリブの両方が、前記吸引側カンバ線リブと前記加圧側カンバ線リブとの間に円弧を含み、
前記２つの中央トラバースリブの各々の前記円弧が、前記前縁の方に向けられた凸面を含む、
請求項１６記載のタービンブレード。
【請求項２２】
前記中央トラバースリブの一方が、「Ｓ字」形状を有するプロファイルを含み、
前記「Ｓ字」形状が、前記エーロフォイルの前記前縁に関して、第１の凹面が第２の凸面に移行する２つの連続する湾曲した面を含む、請求項１６記載のタービンブレード。
【請求項２３】
前記加圧側トラバースリブのうちの２つが、前記加圧側カンバ線リブと前記加圧側外壁との間に円弧を含み、
前記吸引側トラバースリブのうちの２つが、前記吸引側カンバ線リブと前記吸引側外壁との間に円弧を含む、
請求項１６記載のタービンブレード。
【請求項２４】
凹形状をした加圧側外壁および凸形状をした吸引側外壁であり、前縁および後縁に沿って接続し、前記外壁の間に冷却剤の流れを受けるための半径方向に延びるチャンバを形成する、前記加圧側外壁および前記吸引側外壁によって画定されるエーロフォイルを備えるタービン回転子ブレードであって、
前記チャンバを半径方向に延びる流路へと仕切るリブ構成
をさらに備え、
前記リブ構成が、波形プロファイルを有するカンバ線リブを含み、前記波形プロファイルが、少なくとも２つの連続的な前後への「Ｓ字」形状を含み、
前記波形プロファイルを有する前記カンバ線リブが、前記エーロフォイルの前記前縁の近くで始まり、前記波形プロファイルが、前記エーロフォイルの前記後縁に向かって延びる円弧を描く通路の全体にわたり前後に曲がりくねり、前記円弧を描く通路が、前記エーロフォイルのカンバ基準線にほぼ平行である、
タービン回転子ブレード。
【発明の詳細な説明】
【技術分野】
【０００１】
本発明は、タービンエーロフォイルに関し、より詳細には、エーロフォイルを冷却するために空気などの流体を通すための内部導管を有する回転子ブレードまたは固定子ブレードなどの中空タービンエーロフォイルに関する。
【背景技術】
【０００２】
燃焼タービンエンジンまたはガスタービンエンジン（以降「ガスタービン」）は、圧縮機、燃焼器、およびタービンを含む。本分野において良く知られているように、圧縮機において圧縮された空気は、燃料と混合され、燃焼器において点火され、その後タービンを通って膨張して、動力を生み出す。タービン内部の構成要素、特に円周方向に配列した回転子ブレードおよび固定子ブレードは、それらによって消費される燃焼生成物の極端に高い温度および圧力によって特徴付けられる好ましくない環境に曝される。繰り返し熱サイクルならびにこの環境の極端な温度および機械的応力に耐えるために、エーロフォイルは、堅固な構造を有し、能動的に冷却されなければならない。
【０００３】
認識されるように、タービン回転子ブレードおよび固定子ブレードは、冷却システムを形成する内部通路または回路を多くの場合に含み、内部通路または回路を通して冷却剤を、典型的には圧縮機から流れ出る空気を循環する。このような冷却回路は内部リブによって典型的には形成され、内部リブは、エーロフォイルに対して要求される構造的な支持を与え、許容可能な温度プロファイル内にエーロフォイルを維持するように設計された複数の流路を含む。これらの冷却回路を通過する空気を、エーロフォイルの前縁、後縁、吸引側、および加圧側に形成した膜冷却アパーチャを介して多くの場合に放出する。
【０００４】
ガスタービンの効率は着火温度が上昇するにつれて向上することを認識するであろう。このために、タービンブレードがこれまでにない高い温度に耐えることを可能にする技術的な進歩が絶えず求められている。これらの進歩は、時には高温に耐えることができる新材料を含むが、同時に多くの場合に、これらの進歩は、ブレード構造および冷却能力を高めるようにエーロフォイルの内部構成を改善することを含む。しかしながら、冷却剤を使用することがエンジンの効率を低下させるという理由で、冷却剤使用量のレベルの増加に余りに強く依存する新しい配列は、１つの非効率性をもう１つのものに単に交換するにすぎない。その結果として、内部エーロフォイル構成および冷却剤効率を向上させる冷却剤循環を提供する新しいエーロフォイル設計に対する要求が継続している。
【０００５】
内部冷却型エーロフォイルの設計をさらに複雑にする検討事項は、動作中にエーロフォイル内部構造と外部構造との間に現れる温度差である。すなわち、高温ガス通路に露出するという理由で、エーロフォイルの外壁は、例えば、典型的に、内部リブの各々の側に画定される通路を通って流れる冷却剤を有することができる内部リブの多くよりも動作中にはるかに高い温度にある。事実、一般的なエーロフォイル構成は、長い内部リブが加圧側外壁および吸引側外壁に平行に延びる「四重壁（ｆｏｕｒ−ｗａｌｌ）」配置を含む。四重壁配置内に形成された壁に近い流路によって高い冷却効率を達成することができるが、外壁は、内壁よりも著しく大きなレベルの熱膨張を経験することが知られている。この不均衡な膨張は、内部リブと外壁とが接触する点のところで応力を発達させ、これがブレードの寿命を短くすることがある低サイクル疲労を引き起こすことがある。したがって、より効率的に冷却剤を使用する一方で、内部領域と外部領域との間での不均衡な熱膨張によって引き起こされる応力をやはり減少させるエーロフォイル構造の開発には、重大な技術産業上の難題が残されている。
【先行技術文献】
【特許文献】
【０００６】
【特許文献１】米国特許出願公開第２０１１／０２３６２２１号公報
【発明の概要】
【課題を解決するための手段】
【０００７】
本出願は、したがって、凹形状をした加圧側外壁および凸形状をした吸引側外壁であり、前縁および後縁に沿って接続し、これらの外壁の間に冷却剤の流れを受けるための半径方向に延びるチャンバを形成する、加圧側外壁および吸引側外壁によって画定されるエーロフォイルを有するタービンブレードを記述する。タービンブレードは、チャンバを半径方向に延びる流路へと仕切るリブ構成をさらに含むことができる。リブ構成は、波形プロファイルを有するカンバ線リブを含むことができる。波形プロファイルは、少なくとも１つの前後への「Ｓ字」形状を含むことができる。
【０００８】
本出願は、少なくとも２つの連続的な前後への「Ｓ字」形状を有する波形プロファイルを有するカンバ線リブを含むリブ構成をさらに記述する。波形プロファイルを有するカンバ線リブは、エーロフォイルの前縁の近くで始まり、エーロフォイルの後縁に向かって延び円弧を描く通路の全体にわたり前後に曲がりくねる場合がある。円弧を描く通路は、エーロフォイルのカンバ基準線にほぼ平行である場合がある。リブ構成は、加圧側外壁および／または吸引側外壁にカンバ線リブを接続するようにエーロフォイルを横切って延びるトラバースリブを含むことができる。ある種の実施形態では、トラバースリブは、約６０°よりも小さい加圧側外壁および吸引側外壁との接続の角度を含む。
【０００９】
本出願のこれらの特徴および他の特徴は、図面および特許請求の範囲とともに検討すると好ましい実施形態の下記の詳細な説明を精査することで明らかになるであろう。
【００１０】
本発明のこれらの特徴および他の特徴は、添付した図面とともに検討して本発明の例示的な実施形態の下記のより詳細な説明を注意深く吟味することによって、より完全に理解され、認識されるであろう。
【図面の簡単な説明】
【００１１】
【図１】本出願のある種の実施形態を使用することができる例示的なタービンエンジンの模式図である。
【図２】図１の燃焼タービンエンジンの圧縮機部の断面図である。
【図３】図１の燃焼タービンエンジンのタービン部の断面図である。
【図４】本発明の実施形態を利用することができるタイプのタービン回転子ブレードの斜視図である。
【図５】従来型の設計による内壁構成またはリブ構成を有するタービン回転子ブレードの断面図である。
【図６】本発明の実施形態による内壁構成を有するタービン回転子ブレードの断面図である。
【図７】本発明の代替実施形態による内壁構成またはリブ構成を有するタービン回転子ブレードの断面図である。
【図８】本発明の代替実施形態による内壁構成またはリブ構成を有するタービン回転子ブレードの断面図である。
【図９】本発明の代替実施形態による内壁構成またはリブ構成を有するタービン回転子ブレードの断面図である。
【発明を実施するための形態】
【００１２】
初期事項として、現在の発明を明確に記述するために、ガスタービン内部の関係する機械部品を呼ぶときおよび記述するときに、ある種の用語を選択することが必要になるであろう。これを行うときに、可能な場合には、一般的な産業用語を、認められている意味と整合する様式で使用し利用するであろう。別段述べない限り、このような用語は、本出願の文脈および別記の特許請求の範囲の範囲と整合する幅広い解釈を与えるはずである。多くの場合に、特定の構成要素を、いくつかの異なる用語または重なる用語を使用して呼ぶことがあることを当業者なら認識するであろう。単一部品であるとして本明細書において記述することができるものは、複数の構成要素から構成されるもう１つの状況を含むことができ、もう１つの状況において参照されることがある。あるいは、複数の構成要素を含むとして本明細書において記述することができるものが、どこかでは単一部品として呼ばれることがある。したがって、本発明の範囲を理解する際に、本明細書において提供される用語および記述だけでなく、構成要素の構造、構成、機能、および／または使用にも注意を払うべきである。
【００１３】
加えて、いくつかの説明的な用語を、本明細書においては定常的に使用することがあり、この項のはじめにこれらの用語を定義することは役立つはずである。これらの用語およびその定義は、別段述べない限り、次の通りである。本明細書において使用するように、「下流（ｄｏｗｎｓｔｒｅａｍ）」および「上流（ｕｐｓｔｒｅａｍ）」は、タービンエンジンを通る作動流体などの流体の流れ、または例えば、燃焼器を通る空気の流れもしくはタービンの構成要素システムのうちの１つを通る冷却剤の流れに対して相対的な方向を示す用語である。「下流」という用語は、流体の流れの方向に対応し、「上流」という用語は、流れに反対の方向を呼ぶ。「前方（ｆｏｒｗａｒｄ）」および「後（ａｆｔ）」という用語は、何らかのさらなる特定がない場合、「前方」が前またはエンジンの圧縮機端を呼び、「後」が後方またはエンジンのタービン端を呼ぶことをともなう方向を呼ぶ。中心軸に関して異なる半径方向位置にある部品を説明することが、しばしば必要である。「半径方向（ｒａｄｉａｌ）」という用語は、軸に対して垂直な動きまたは位置を呼ぶ。このようなケースでは、第１の構成要素が第２の構成要素よりも軸の近くに存在する場合には、第１の構成要素は、第２の構成要素の「半径方向の内側（ｒａｄｉａｌｌｙ  ｉｎｗａｒｄ）」または「内側寄り（ｉｎｂｏａｒｄ）」であることを、本明細書においては述べるであろう。その一方で、第１の構成要素が第２の構成要素よりも軸から遠くに存在する場合には、第１の構成要素は、第２の構成要素の「半径方向の外側（ｒａｄｉａｌｌｙ  ｏｕｔｗａｒｄ）」または「外側寄り（ｏｕｔｂｏａｒｄ）」であることを、本明細書においては述べることができる。「軸方向（ａｘｉａｌ）」という用語は、軸に平行な動きまたは位置を呼ぶ。最後に、「円周方向（ｃｉｒｃｕｍｆｅｒｅｎｔｉａｌ）」という用語は、軸の周りの動きまたは位置を呼ぶ。このような用語を、タービンの中心軸に関連して適用することができることを認識するであろう。
【００１４】
背景として、ここで図を参照して、図１から図４は、本出願の実施形態をその中で使用することができる例示的な燃焼タービンエンジンを図示する。本発明がこの特定のタイプの使用に限定されないことを、当業者なら理解するであろう。本発明を、発電において使用するものなどの燃焼タービンエンジン、航空機、ならびに他のエンジンタイプにおいて使用することができる。提供する例は、別段述べない限り限定することを意味しない。
【００１５】
図１は、燃焼タービンエンジン１０の模式的な表示である。一般に、燃焼タービンエンジンは、圧縮された空気の流れの中で燃料を燃焼させることによって生成される高温ガスの加圧された流れからエネルギーを取り出すことによって動作する。図１に図示したように、燃焼タービンエンジン１０を、軸流圧縮機１１を用いて構成することができ、軸流圧縮機を、下流タービン部またはタービン１３および圧縮機１１とタービン１３との間に位置する燃焼器１２へ共通シャフトまたは回転子によって機械的に連結する。
【００１６】
図２は、図１の燃焼タービンエンジンにおいて使用することができる例示的な多段軸流圧縮機１１の図を例示する。示したように、圧縮機１１は、複数の段を含むことができる。各段は、圧縮機回転子ブレード１４の列に続いて圧縮機固定子ブレード１５の列を含むことができる。このように、第１の段は、中央シャフトの周りを回転する圧縮機回転子ブレード１４の列に続いて動作中には静止したままである圧縮機固定子ブレード１５の列を含むことができる。
【００１７】
図３は、図１の燃焼タービンエンジンにおいて使用することができる例示的なタービン部またはタービン１３の部分図を例示する。タービン１３は、複数の段を含むことができる。３つの例示的な段を図示するが、より多くの段またはより少ない段が、タービン１３内に存在する場合がある。第１の段は、動作中にシャフトの周りを回転する複数のタービンバケットまたはタービン回転子ブレード１６、および動作中には静止したままである複数のノズルまたはタービン固定子ブレード１７を含む。タービン固定子ブレード１７は、一般的に、相互に円周方向に間隔を空けて設置され、回転軸の周りに固定される。タービン回転子ブレード１６を、シャフト（図示せず）の周りの回転用のタービンホイール（図示せず）上に載置することができる。タービン１３の第２の段をやはり図示する。第２の段は、同様に、複数の円周方向に間隔を空けて設置されたタービン固定子ブレード１７に続いて回転用のタービンホイール上にやはり載置され、複数の円周方向に間隔を空けて設置されたタービン回転子ブレード１６を含む。第３の段をやはり図示し、同様に複数のタービン固定子ブレード１７および回転子ブレード１６を含む。タービン固定子ブレード１７およびタービン回転子ブレード１６がタービン１３の高温ガス通路内に置かれることを認識するであろう。高温ガス通路を通る高温ガスの流れの方向を、矢印によって示す。当業者なら認識するように、タービン１３は、図３に図示したものよりも多くの段、またはいくつかのケースでは少ない段を有することができる。各々の追加の段は、タービン固定子ブレード１７の列に続いてタービン回転子ブレード１６の列を含むことができる。
【００１８】
動作の一例では、軸流圧縮機１１内部の圧縮機回転子ブレード１４の回転は、空気の流れを圧縮することができる。燃焼器１２では、圧縮空気を燃料と混合し、点火すると、エネルギーを放出することができる。燃焼器１２からの得られた高温ガス、これを作動流体と呼ぶことができる、の流れを、次に、タービン回転子ブレード１６の上方に向け、作動流体の流れがシャフトの周りのタービン回転子ブレード１６の回転を引き起こす。これにより、作動流体の流れのエネルギーを、回転するブレード、および回転ブレードとシャフトとの間の接続によって回転するシャフトの機械的エネルギーへと変換する。シャフトの機械的エネルギーを、次に、圧縮機回転子ブレード１４を回転させるために使用することができ、その結果、圧縮空気の必要な供給を作り、そしてやはり、例えば、発電機を回転させて電力を作るために使用することができる。
【００１９】
図４は、本発明の実施形態を利用することができるタイプのタービン回転子ブレード１６の斜視図である。タービン回転子ブレード１６は、付け根２１を含み、これによって回転子ブレード１６を回転子ディスクに取り付ける。付け根２１は、回転子ディスクの周囲の対応するダブテールスロット内に載置するために構成されたダブテールを含むことができる。付け根２１は、ダブテールとプラットフォーム２４との間に延びるシャンクをさらに含むことができ、プラットフォームは、エーロフォイル２５と付け根２１との接合部のところに配置され、タービン１３を通る流路の内側寄り境界の一部を画定する。エーロフォイル２５が、作動流体の流れを途中で捕え、回転子ディスクを回転させる回転子ブレード１６の能動部品であることを認識するであろう。この例のブレードはタービン回転子ブレード１６であるが、タービン固定子ブレード１７を含むタービンエンジン１０内部の他のタイプのブレードに本発明をやはり適用することができることを認識するであろう。回転子ブレード１６のエーロフォイル２５が、対向する前縁２８と後縁２９との間で軸方向にそれぞれ延びる凹型加圧側外壁２６および円周方向にまたは横方向に対向する凸型吸引側外壁２７を含むことを理解するであろう。側壁２６および２７は、プラットフォーム２４から外側寄り先端３１まで半径方向にやはり延びる。（本発明の用途は、タービン回転子ブレードに限定されないだけでなく、固定子ブレードにもやはり適用可能であり得ることを認識するであろう。本明細書において説明するいくつかの実施形態における回転子ブレードの使用は、別段述べない限り例示的である。）
図５は、従来型の設計を有する回転子ブレードエーロフォイル２５に見出すことができるような内部壁構成を示す。示したように、エーロフォイル２５の外側表面を、比較的薄い加圧側外壁２６および吸引側外壁２７によって画定することができ、これらの外壁を、複数の半径方向に延び交差するリブ６０を介して接続することができる。リブ６０は、エーロフォイル２５に対する構造的支持を与える一方で、複数の半径方向に延び実質的に分離された流路４０をやはり画定するように構成される。典型的には、リブ６０は、エーロフォイル２５の半径方向の高さの大部分にわたり流路４０を仕切るように半径方向に延びるが、下記により詳細に論じるように、冷却回路を画定するように、流路をエーロフォイルの周辺に沿って接続することができる。すなわち、流路４０は、エーロフォイル２５の外側寄り端部または内側寄り端部のところで、ならびに多数の小さな交差通路または交差通路の間に位置することができるインピンジメントアパーチャ（図示せず）を介して流体連通することができる。このようにして、流路４０のうちのあるものは一緒に、曲がりくねったまたは蛇行する冷却回路を形成することができる。加えて、冷却剤を流路４０からエーロフォイル２５の外側表面上へと通して放出する出口を形成する膜冷却ポート（図示せず）を含むことができる。
【００２０】
リブ６０は、２つの異なるタイプを含むことができ、これらを次に、本明細書において行うように、さらに細分割することができる。第１のタイプ、カンバ線リブ６２は、典型的には、エーロフォイルのカンバ線に平行またはほぼ平行に延びる長いリブであり、カンバ線は、前縁２８から後縁２９まで伸び、加圧側外壁２６と吸引側外壁２７との間の中間点を接続する基準線である。しばしばあるように、図５の従来型構成は、２つのカンバ線リブ６２、すなわち加圧側外壁２６からオフセットし、近接する様式で与えられる加圧側内壁ともやはり呼ばれることがある加圧側カンバ線リブ６３、吸引側外壁２７からオフセットし、近接する様式で与えられる吸引側内壁ともやはり呼ばれることがある吸引側カンバ線リブ６４を含む。述べたように、このタイプの設計は、２つの側壁２６、２７および２つのカンバ線リブ６３、６４を含む行きわたる４つの主要な壁のために、「四重壁」構成を有するとしばしば呼ばれる。外壁２６、２７およびカンバ線リブ６２は、一体型構成部品として鋳造されることを認識するであろう。
【００２１】
第２のタイプのリブは、本明細書においてはトラバースリブ６６と呼ばれる。トラバースリブ６６は、四重壁構成の壁および内部リブを接続するように示された短いリブである。示したように、４つの壁を、多数のトラバースリブ６６によって接続することができ、トラバースリブ６６を、どの壁を各々が接続するかにしたがってさらに分類することができる。本明細書において使用するように、加圧側外壁２６を加圧側カンバ線リブ６３に接続するトラバースリブ６６は、加圧側トラバースリブ６７と呼ばれる。吸引側外壁２７を吸引側カンバ線リブ６４に接続するトラバースリブ６６は、吸引側トラバースリブ６８と呼ばれる。最後に、加圧側カンバ線リブ６３を吸引側カンバ線リブ６４に接続するトラバースリブ６６は、中央トラバースリブ６９と呼ばれる。
【００２２】
一般的に、エーロフォイル２５内の四重壁内部構成の目的は、効率的な壁に近い冷却を与えることであり、この中では、冷却空気が、エーロフォイル２５の外壁２６、２７に隣接する導管内を流れる。冷却空気がエーロフォイルの熱い外側表面のすぐそばにあり、狭い導管を通る流れを制約することによって実現される大きな流速のために、得られる熱伝達係数が大きいという理由で、壁に近い冷却が有利であることを認識するであろう。しかしながら、このような設計は、エーロフォイル２５内で経験する異なるレベルの熱膨張のために低サイクル疲労を経験しがちであり、これが結局は、回転子ブレードの寿命を短くすることがある。例えば、動作では、吸引側外壁２７は、吸引側カンバ線リブ６４よりも大きく熱膨張する。この膨張差は、エーロフォイル２５のカンバ線の長さを増加させる傾向にあり、これによって、これらの構造のそれぞれの間に、ならびにこれらを接続するこれらの構造間に応力を生じさせる。加えて、加圧側外壁２６は、より冷たい加圧側カンバ線リブ６３よりもやはり大きく熱膨張する。このケースでは、差は、エーロフォイル２５のカンバ線の長さを減少させる傾向にあり、これによって、これらの構造の各々の間に、ならびにこれらを接続するこれらの構造間に応力を生じさせる。１つのケースではエーロフォイルカンバ線を減少させる傾向があり、他方ではこれを増加させるエーロフォイル内の反対の力が、さらなる応力集中をもたらすことがある。エーロフォイルの特定の構造的構成が与えられるとこれらの力が現れる様々な形態、および力がその後つり合い補償される様式は、回転子ブレード１６の部品寿命の重要な決定的要因になる。
【００２３】
より具体的に、一般的なシナリオでは、高温ガス通路の高温に曝すことが吸引側外壁を熱膨張させるので、吸引側外壁２７は、その湾曲の頂点のところで外側にたわむ傾向がある。内部壁である吸引側カンバ線リブ６４が、同じレベルの熱膨張を経験せず、これゆえ、外方にたわむ同じ傾向を有することがないことを認識するであろう。カンバ線リブ６４は、次に、外壁２７の熱膨張に抗する。従来型の設計が、ほとんどまたはまったくコンプライアンスのない硬い幾何学的形状で形成されたカンバ線リブ６２を有するという理由で、この抗性およびこれからもたらされる応力集中を、実体的なものとする場合がある。問題を悪化させると、カンバ線リブ６２を外壁２７に接続するために使用するトラバースリブ６６は、直線プロファイルで形成され、一般に、トラバースリブが接続する壁に対して直角に向けられる。こういう状況であれば、加熱された構造が著しく異なる速度で膨張するので、トラバースリブ６６は、外壁２７とカンバ線リブ６４との間の「冷たい」空間的関係を基本的に早く保持するように動作する。したがって、「弾力性」が構造中にほとんどまたはまったく作られないと、従来型の配列は、構造のある領域に集中する応力を取り除くことに不適当である。差異のある熱膨張バスは、構成要素寿命を短くする低サイクル疲労問題を結果としてもたらす。
【００２４】
多くの異なる内部エーロフォイル冷却システムおよび構造的構成を、過去に評価してきており、この問題を直すための試みを行ってきている。１つのそのような取り組みは、外壁２６、２７を過冷却することを提案し、その結果、温度差および、これによって熱膨張差を減少させる。とはいえ、これを典型的に達成する方法は、エーロフォイルを通って循環する冷却剤の量を増加させることであることを認識するであろう。冷却剤が典型的には圧縮機から流れ出る空気であるという理由で、冷却剤の使用量の増加は、エンジンの効率への負の影響を有し、したがって、好ましくは避ける解決策である。製造方法の改善および／または同じ量の冷却剤を使用するが冷却剤をより効率的に使用するさらに複雑な内部冷却構成を使用する他の解決策が、提案されている。これらの解決策がいくぶんか効率的であることを証明しているとはいえ、それぞれが、エンジンの動作または部品の製造のいずれかに追加コストをもたらし、動作中にエーロフォイルがどのように熱膨張するかの観点から従来型の設計の幾何学形状の欠点である根本問題に直接対処することに対して何も行わない。
【００２５】
本発明は、全体として、タービンブレードのエーロフォイル内にしばしば生じる熱応力の不均衡を緩和するある種の湾曲したまたは気泡を形成したまたはサイン波形のまたは波形の内部リブ（以降「波形リブ」）を教示する。この一般的なアイデア内で、本出願は、このアイデアを実現することができるいくつかの方法を記述し、これらの方法は、波形のカンバ線リブ６２および／またはトラバースリブ６６、ならびにこれらの間のあるタイプの角度を付けた接続部を含む。これらの新規な構成−これを、別記の特許請求の範囲に正確に記述したように、別々にまたは組み合わせて利用することができる−は、目標とする柔軟性を与えるようにエーロフォイル２５の内部構造の硬さを減少させ、これによって、応力集中を分散させ、応力にさらに耐えることが可能な別の構造的な領域に歪を移動させることを認識するであろう。これは、例えば、大きな面積の全体にわたり歪を分散させる領域に移動させること、または、おそらく、引張り応力の代わりに、典型的にはより好ましい圧縮負荷に移動する構造を含むことができる。このようにして、寿命を短くする応力集中および歪を回避することができる。
【００２６】
図６から図８は、本発明の実施形態による、内部壁構成を有するタービン回転子ブレード１６の断面図を提供する。具体的に、本発明は、構造的支持体ならびに仕切りの両者として典型的に使用されるリブ６０の構成を含み、仕切りは、中空のエーロフォイル２５を実質的に分離され半径方向に延びる流路４０へと分割し、流路４０を、冷却回路を作るために望むような相互接続することができる。特定の様式でエーロフォイル２５を通る冷却剤の流れを管理するために、これらの流路４０および流路が形成する回路を使用し、その結果、冷却剤の使用は、的を絞られ、より効率的である。本明細書において提供する例を、タービン回転子ブレード１６において使用されるように示すが、同じ概念をやはりタービン固定子ブレード１７において利用することができることを認識するであろう。一実施形態では、本発明のリブ構成は、波形プロファイルを有するカンバ線リブ６２を含む。（本明細書において使用するように、「プロファイル」という用語は、リブが図６から図８の断面図において有する形状を呼ぶものとする。）カンバ線リブ６２は、上に説明したように、典型的には、エーロフォイル２５の前縁２８の近くの位置から後縁２９に向かって延びる長い方のリブの１つである。カンバ線リブが描く経路が、エーロフォイル２５のカンバ線にほぼ平行であるという理由で、これらのリブを「カンバ線リブ」と呼び、カンバ線は、凹型加圧側外壁２６と凸型吸引側外壁２７との間の等距離である点の集合を通りエーロフォイル２５の前縁２８と後縁２９との間に延びる基準線である。本出願によれば、「波形プロファイル」は、示したように、形状で顕著に湾曲しているおよびサイン波形であるプロファイルを含む。言い換えると、「波形プロファイル」は、前後への「Ｓ字」プロファイルを示すプロファイルである。この特定のタイプの波形プロファイルの例を、上記の図６および図７に与える。
【００２７】
波形プロファイルで構成されたカンバ線リブ６２のセグメントまたは長さは、設計基準に依存して変わることがある。提供した例では、波形カンバ線リブ６２は、典型的には、エーロフォイル２５の前縁２８に近い位置からエーロフォイル２５のカンバ線の中間点を超える点まで延びる。カンバ線リブ６２の波形部分は、長さが短くてもよいが、本明細書において論じた同じタイプの性能の長所を依然として与えることを認識するであろう。カンバ線リブ６２の波形セグメントの湾曲の数ならびに長さを、最善の結果を実現するために変えることができる。ある種の実施形態では、本発明の波形カンバ線リブ６２は、カンバ線リブが含む完全な前後への「Ｓ字」形状の数によって定義される。このタイプの好ましい実施形態では、波形カンバ線リブ６２は、少なくとも１つの途切れない前後への「Ｓ字」形状を含む。別の一実施形態では、波形カンバ線リブ６２は、少なくとも２つの連続的であり途切れない前後への「Ｓ字」形状を含む。図６および図７に与えた例は、２つ以上の完全な「Ｓ字」形状を有する経路をそれぞれ描くことを認識するであろう。全体の長さに関して、カンバ線リブ６２の波形セグメントは、エーロフォイル２５のカンバ線の長さのかなりの部分にわたり延びることができる。例えば、図６および図７に示したように、好ましい実施形態では、カンバ線リブ６２の波形部分は、エーロフォイル２５のカンバ線の長さの５０％を超える。言い換えると、カンバ線リブ６２の波形部分は、エーロフォイル２５の前縁２８の近くで始まり、後方に延び、エーロフォイル２５の湾曲の頂点を十分に超える。カンバ線リブ６２の少なくとも１５％の波形部分などのより短い長さを、性能利益のある状態でやはり利用することができることを認識するであろう。
【００２８】
曲がりくねったプロファイルを与えられると、波形カンバ線リブ６２は、その進行方向が変わる経路を描くことを認識するであろう。本発明の波形カンバ線リブ６２を、いたるところで経路が曲がりくねる一般的な円弧を描く経路を有するようにさらに記述することができ、しかも、経路は、典型的に、前縁２８に近い起点およびエーロフォイル２５の後縁２９に近い後端点から延びることを認識するであろう。波形カンバ線リブ６２のケースでは、これは、エーロフォイル２５のカンバ線に大雑把に平行であるこの一般的な円弧を描く経路である。
【００２９】
上に論じた図５の四重壁の例などの多くの知られているエーロフォイル２５構成は、２つのカンバ線リブ６２を含む。このタイプの構成では、加圧側外壁２６の近くに存在する加圧側カンバ線リブ６３、および吸引側外壁２７の近くに存在する吸引側カンバ線リブ６４を有するように記述することができる。本発明は、図６および図７に示したように、吸引側カンバ線リブ６４および加圧側カンバ線リブ６３の両者が波形リブとして形成される構成を含むことができる。代替実施形態では、これらのカンバ線リブ６２のうちの一方だけが、波形プロファイルを有することができる。本発明を、１つのカンバ線リブ６２だけを有する構成でもやはり利用することができることを認識するであろう。
【００３０】
２つのカンバ線リブ６２を含むエーロフォイル２５では、加圧側カンバ線リブ６３および吸引側カンバ線リブ６４が、中央流路４０を画定することを認識するであろう。加圧側カンバ線リブ６３および吸引側カンバ線リブ６４の各々についての波形プロファイルを、中央流路４０に面するカンバ線リブ６２の連続するセグメントによって取られる形状に関連して規定することができる。すなわち、例えば、中央流路４０に関連して、第１の凹形セグメントが第２の凸形セグメントに移行する２つの連続するセグメントを含むように、カンバ線リブ６２の波形プロファイルを記述するこができる。代替実施形態では、波形プロファイルは、４つ以上の連続するセグメントを含むことができ、そこでは、第１の凹形セグメントが第２の凸形セグメントに移行し、第２の凸形セグメントが第３の凹形セグメントに移行し、そして第３の凹形セグメントが第４の凸形セグメントに移行する。
【００３１】
図８に示したように、代替実施形態は、凸形セグメントの繰り返しを含む。このタイプの波形リブ実施形態では、（中央流路に関して）カンバ線リブ６２についての波形プロファイルは、連続して積み重なった凸形セグメントを含むことを認識するであろう。このタイプの好ましい実施形態では、図示したように、カンバ線リブ６２は、少なくとも４つのこれらの連続して積み重なった凸形セグメントを含む。（このタイプの実施形態では、応力集中を回避するため、はるかに長い凸形セグメントを接続するために、短い凹形セグメントを使用することができることを認識するであろう。）
本発明は、エーロフォイル２５のコンプライアンスを調整するために利用することができるトラバースリブ６６のある種の構成を教示する。本明細書において使用するように、トラバースリブ６６は、エーロフォイル２５を横切って延びる短い方のリブである。カンバ線リブ６２を、いずれか、他のカンバ線リブまたはエーロフォイル２５の外壁２６、２７のうちの一方に接続するために、トラバースリブ６６を使用する。このようにして構成すると、トラバースリブ６６が、外壁２６、２７とカンバ線リブ６２との間に形成された流路４０に対する仕切りとしてやはり働くことを認識するであろう。図示したように、加圧側外壁２６および加圧側カンバ線リブ６３は、これらの間に加圧側流路４０を画定するように構成される。同様に、吸引側外壁２７および吸引側カンバ線リブ６４は、これらの間に吸引側流路４０を画定するように構成される。吸引側カンバ線リブ６４と加圧側カンバ線リブ６３との間に、中央流路４０が画定される。示したように、これらの流路４０を次に、トラバースリブ６６によって細分割することができる。本発明のある種の実施形態では、いくつかの加圧側トラバースリブ６７は、加圧側外壁２６を加圧側カンバ線リブ６３に接続する。このようにして、加圧側トラバースリブ６７は、加圧側流路４０を多数の別々の、軸方向に積み重なった流路４０へと分割する。同じように、いくつかの吸引側トラバースリブ６８は、吸引側外壁２７を吸引側カンバ線リブ６４に接続し、吸引側流路４０を多数の別々の、軸方向に積み重なった流路４０へと分割する。中央トラバースリブ６９は、加圧側カンバ線リブ６３を吸引側カンバ線リブ６４に接続し、同様に中央流路を仕切る。
【００３２】
カンバ線リブ６２およびトラバースリブ６６を、半径方向に延びる壁として構成することができる。すなわち、これらのリブは、エーロフォイル２５の２つの端部の間に半径方向に延びる一方で、図６から図８の断面図に示したプロファイルを形成することができる。このようにして、加圧側流路、吸引側流路、および中央流路４０は、エーロフォイル２５とブレード付け根２１との間の界面の近くである内側寄り端部と、エーロフォイル２５の外側寄り先端３１の近くである外側寄り端部との間で半径方向に延びることができる。使用に際して、冷却剤の供給を、ブレード付け根２１を通って延びる供給通路を介して、流路４０の内側寄り端部のうちの１つまたは複数に配送することができる。エーロフォイル２５を通る蛇行冷却剤通路を作るために、流路４０を、その内側寄り端部または外側寄り端部のところで選択的に接続することができることを認識するであろう。
【００３３】
本発明のリブ構成は、エーロフォイル２５の加圧側および吸引側の各々においていくつかのトラバースリブ６６を含むことができる。好ましい実施形態では、少なくとも５つの加圧側トラバースリブ６７および５つの吸引側トラバースリブ６８を含むことができる。複数の中央トラバースリブ６９をやはり、設けることができる。示したように、好ましい実施形態では、本発明は、少なくとも２つの中央トラバースリブ６９を含むことができる。本発明は、接続アセンブリをさらに記述し、これによってトラバースリブ６６が外壁２６、２７および／またはカンバ線リブ６２に接続する。トラバースリブ６６がこのような壁２６、２７、６２と交差する角度を、「接続の角度」によって記述することができることを認識するであろう。（「接続の角度」が呼ぶものは、トラバースリブとこれが交差する壁との間のトラバースリブの各端部の両側に形成される２つの角度のうちの小さい方であることを認識するであろう。）従来型のエーロフォイル構成では、上に述べたように、接続の角度は、一般に９０°に近い急勾配のものである。このような急勾配の角度が強靭な構造に役立つことを認識するであろう。本発明は、エーロフォイル２５構造または構造の目標領域をよりコンプライアンスを有するようにすることができる方法として、９０°よりも小さい角度を教示する。一実施形態によれば、図６および図７に示したように、加圧側トラバースリブ６７のうちの少なくとも２つを、約６０°よりも小さい加圧側外壁２６との接続の角度を有するように構成することができる。別の一実施形態によれば、示したように、吸引側トラバースリブ６８のうちの少なくとも２つを、約６０°よりも小さい吸引側外壁２７との接続の角度を形成するように構成することができる。中央トラバースリブ６９を同様に構成することができ、本発明の構成は、吸引側カンバ線リブ６４および加圧側カンバ線リブ６３の各々のところで約６０°よりも小さい少なくとも１つの接続の角度を有することを含む。より大きなコンプライアンスを要求されるところでは、実施形態は、約６０°よりも小さい外壁２６、２７との接続の角度を有するように構成された加圧側トラバースリブ６７のうちの３つおよび吸引側トラバースリブ６８のうちの３つを有することを含むことができ、中央トラバースリブ６９のうちの少なくとも２つを、吸引側カンバ線リブ６４および加圧側カンバ線リブ６３の各々のところで約６０°よりも小さい接続の角度を形成するように構成することができる。
【００３４】
本発明は、トラバースリブ６６が構造的コンプライアンスを高めることができるもう１つの様式をさらに記述する。トラバースリブ６６は、典型的には直線プロファイルを有することで形成され、これは認識されるように、強靭で屈曲しない構成をもたらす。本発明のある種の実施形態にしたがって、トラバースリブ６６は、湾曲したプロファイルを有することで構成される。具体的に、図６から図８における例の各々に示したように、中央トラバースリブ６９は、湾曲した、アーチ形の、または円弧を描くプロファイルを含むことができる。このプロファイルを用いると、トラバースリブ６６は、はるかにコンプライアンスを有するようになり、トラバースリブが接続する構造壁間の相対的な動きを調節することができる。トラバースリブの湾曲した円弧を描くプロファイルが向けられる方向を、予想される応力のタイプを調節するように操作することができる。好ましい実施形態によれば、図６に図示したように、中央トラバースリブ６９の凹面がエーロフォイル２５の前縁２８の方に向けられるように、中央トラバースリブ６９の円弧を向けることができる。この方向付けを、特定の構造またはその一部に含まれる中央トラバースリブ６９のすべてに行うことができる。代替実施形態では、図７に図示したように、トラバースリブの凸面がエーロフォイル２５の前縁２８から遠くに向けられるように、中央トラバースリブ６９の円弧を向けることができる。このタイプのプロファイルを、中央トラバースリブ６９のすべてにまたはその一部だけに使用することができる。
【００３５】
図９に示したように、代替実施形態は、凹形セグメントの繰り返しを含むカンバ線リブ６２を含む。このタイプの波形リブ実施形態では、（中央流路４０に対する）カンバ線リブ６２に関する波形プロファイルは、連続的に積み重ねた凸形セグメントを含むことを認識するであろう。このタイプの好ましい実施形態では、図示したように、カンバ線リブ６２は、これらの連続的に積み重ねた凹形セグメントの少なくとも４つをそれぞれ含む。（このタイプの実施形態では、応力集中を回避するために、短い凸形セグメントを、はるかに長い凸形セグメントを接続するために使用することができることを認識するであろう。）
図９は、トラバースリブ６６の代替実施形態をやはり含む。既に述べたように、本発明によれば、中央トラバースリブ６９は、湾曲したまたは円弧を描くプロファイルを有することができる。加えて、代替実施形態によれば、加圧側トラバースリブ６７および吸引側トラバースリブ６８もやはり、湾曲したプロファイルを含むことができる。例示的なタイプの湾曲したプロファイルを、図９にエーロフォイル２５の吸引側に沿って示す。具体的には、示したように、吸引側トラバースリブ６８および加圧側トラバースリブ６７は、これらが接続する壁の間に円弧を描くことができる。凸面がエーロフォイル２５の前縁２８の方を指すように、円弧を向けることができる。あるいは、凹面がエーロフォイル２５の前縁２８の方を指すように、円弧を向けることができる。図９にやはり示したように、カンバ線リブ６２と同様に、トラバースリブ６６を、「Ｓ字」形状を有することで構成することができる。示したように、好ましい実施形態では、この構成を、中央トラバースリブ６９に含ませることができる。代替実施形態では、「Ｓ字」形状を、いずれか、加圧側トラバースリブ６７または吸引側トラバースリブ６８または両者で使用することができる。さらに、好ましい実施形態では、図９にエーロフォイル２５の前縁２８に向けて示したように、加圧側トラバースリブ６７、吸引側トラバースリブ６８、および中央トラバースリブ６９は、各々によって形成される円弧をどのように向けるかを交互にすることによって波形プロファイルまたは「Ｓ字」形状を形成する。すなわち、加圧側トラバースリブ６７は、前縁２８に向けて凸面を与え、次に中央トラバースリブ６９は、前縁２８に向けに凹面であり、次いで吸引側トラバースリブ６８は、エーロフォイル２５の前縁２８に向けて凸面を与える。
【００３６】
本発明によれば、エーロフォイルの内部構造は、エーロフォイルのカンバ線方向に沿って波形リブを含むことができる。カンバ線リブ６２をこのようにしてバネ状に作ることによって、エーロフォイルの内部バックボーンを、性能の優位性を実現することができるようによりコンプライアンスを有するようにすることができる。加えて、負荷通路をさらに柔軟にするために、ならびにリブ６２およびリブが接続する外壁２６、２７とのよりコンプライアンスのある接続を作るために、エーロフォイル構造のトラバースリブを湾曲させることができる。標準的な直線リブ設計が、内部冷却キャビティ壁とはるかに熱い外壁との間のサーマルファイト（ｔｈｅｒｍａｌ  ｆｉｇｈｔ）に起因する大きな応力および低サイクル寿命を経験するのに対して、本発明は、応力集中をより上手く負担することができるバネ状構成を提供し、これを、本明細書において与えたように、構成部品の寿命を改善するために使用することができる。
【００３７】
当業者なら認識するように、いくつかの例示的な実施形態に関連して上に記述した多くの変わる特徴および構成を、本発明の別の可能性のある実施形態を形成するために、さらに選択的に適用することができる。簡潔さのためにおよび当業者の能力を考慮して、可能性のある繰り返しのすべてを詳細には提供しないまたは論じないが、下記のいくつかの請求項によって包含されようがそうでなかろうがすべての組合せおよび可能性のある実施形態は、本出願の一部であるものとする。加えて、本発明のいくつかの例示的な実施形態の上の記述から、当業者なら、改善、変更、および修正に気付くであろう。本分野の技術内でのこのような改善、変更、および修正もやはり、別記の特許請求の範囲によって保護されるものとする。さらに、上記は、本出願の記述した実施形態だけに関係し、数多くの変更および修正を、別記の特許請求の範囲およびその等価物によって規定されるような本出願の精神および範囲から逸脱せずにここに行うことができることを認識されたい。
【符号の説明】
【００３８】
１０  燃焼タービンエンジン
１１  圧縮機
１２  燃焼器
１３  タービン
１４  圧縮機回転子ブレード
１５  圧縮機固定子ブレード
１６  タービン回転子ブレード
１７  タービン固定子ブレード
２１  付け根
２４  プラットフォーム
２５  エーロフォイル
２６  加圧側外壁
２７  吸引側外壁
２８  前縁
２９  後縁
３１  外側寄り先端
４０  流路
４１  中央流路
４２  前縁流路
４３  加圧側の壁に近い流路
４４  吸引側の壁に近い流路
４５  供給物供給装置
４６  ポート
４７  交差通路
４８  インピンジメントコネクタ
４９  表面出口
６０  リブ
６２  カンバ線リブ
６３  加圧側カンバ線リブ
６４  吸引側カンバ線リブ
６６  トラバースリブ
６７  加圧側トラバースリブ
６８  吸引側トラバースリブ
６９  中央トラバースリブ
【図１】
2015127532.tif 000003
【図２】
2015127532.tif 000004
【図３】
2015127532.tif 000005
【図４】
2015127532.tif 000006
【図５】
2015127532.tif 000007
【図６】
2015127532.tif 000008
【図７】
2015127532.tif 000009
【図８】
2015127532.tif 000010
【図９】
2015127532.tif 000011